(57)【要約】【課題】靴や衣類をはじめ、種々の用途ですぐれた除湿効果を示し、しかも、簡便で使いやすく持ち運び可能な通風式乾燥具の提供。【解決手段】筒状の中空構造体の上面に通気孔を有する蓋体を嵌着自在に取り付け、かつ底面中央部にホルダー支持部を架設してファン室を形成し、回転数が３０００〜２２０００回転／分のモーターと電池を収容するホルダーを前記ホルダー支持部にて把持するとともに、前記ファン室空間内であって蓋体から１．５〜４ｃｍ離れた位置に、前記モーターの回転軸に連結するファンを回動自在に介装させ、前記中空構造体底面の開口部を通風路となし、ファンによる送風又は吸風によって被通風体に乾燥を施すようにした通風式乾燥具。【選択図】図１
2004132678.tif 000002
【特許請求の範囲】
【請求項１】
筒状の中空構造体の上面に通気孔を有する蓋体を嵌着自在に取り付け、かつ底面中央部にホルダー支持部を架設してファン室を形成し、回転数が３０００〜２２０００回転／分のモーターと電池を収容するホルダーを前記ホルダー支持部にて把持するとともに、前記ファン室空間内であって蓋体から１．５〜４ｃｍ離れた位置に、前記モーターの回転軸に連結するファンを回動自在に介装させ、前記中空構造体底面の開口部を通風路となし、ファンによる送風又は吸風によって被通風体に乾燥を施すようにしたことを特徴とする通風式乾燥具。
【請求項２】
蓋体に、消臭剤及び／又は抗菌・防カビ剤を含有する不織布製フィルターを装着したことを特徴とする請求項１に記載の通風式乾燥具。
【請求項３】
ホルダーの先端部付近に、バネ作動式タイマースイッチを付設したことを特徴とする請求項１又は２に記載の通風式乾燥具。
【請求項４】
中空構造体底面に山型の通風ガイドを設け、更に開口部を越えて二股形状の通風路を延設し、この通風路を被通風体に対向するようになしたことを特徴とする請求項１ないし３のいずれかに記載の通風式乾燥具。
【請求項５】
靴内に通風路を挿入して用いることを特徴とする請求項４に記載の通風式乾燥具。
【発明の詳細な説明】
【０００１】
【発明が属する技術分野】
本発明は、通風式乾燥具に関するものである。
【０００２】
【従来の技術】
家屋内で湿気に起因して様々な問題が発生している。例えば、靴の中が汗で湿ってべたつくと不快になるばかりか、特に夏場は悪臭（アンモニア臭、吉草酸臭など）を発し水虫にかかりやすくなると言われている。一方、冬場では汗の湿気が冷えて健康にも良くない。また、汗で湿ったスーツなどの衣類を着ても快適でないし、湿ったまま放置すればカビ臭くなったりして品質が劣化する。
このため、様々な除湿剤や乾燥剤が提案され、例えば、塩化カルシウムを用いた除湿剤は一般に広く使用されている。一方、靴専用用途として、特開平２−２４１４２７号公報や特開平２−２７７４２８号公報には、送風ファンからの送風を靴内に導き乾燥を施す靴乾燥機が開示され、また特開平１−２４４７０２号公報には、ファン等の送風手段とヒーターとオゾン発生装置からなる靴殺菌消臭乾燥機が記載されている。しかしながら、これらは商用電源を必要とする電気製品で手軽に取り扱えるようなものでないことから、簡便で使いやすく持ち運びでき、しかも除湿効果のすぐれた乾燥具の開発が望まれている。
【０００３】
【特許文献１】
特開平１−２４４７０２号公報
【特許文献２】
特開平２−２４１４２７号公報
【特許文献３】
特開平２−２７７４２８公報
【０００４】
【発明が解決しようとする課題】
本発明は、靴や衣類をはじめ、種々の用途ですぐれた除湿効果を示し、しかも、簡便で使いやすく持ち運び可能な通風式乾燥具を提供することを目的とする。
【０００５】
【課題を解決するための手段及び発明の実施の形態】
本発明者は、鋭意検討した結果、電池を用いたファンによる送風又は吸風によって被通風体を効率よく乾燥でき、しかも快適感をもたらし得ることを見出し、本発明を完成するに至った。
【０００６】
すなわち、請求項１の発明は、筒状の中空構造体の上面に通気孔を有する蓋体を嵌着自在に取り付け、かつ底面中央部にホルダー支持部を架設してファン室を形成し、回転数が３０００〜２２０００回転／分のモーターと電池を収容するホルダーを前記ホルダー支持部にて把持するとともに、前記ファン室空間内であって蓋体から１．５〜４ｃｍ離れた位置に、前記モーターの回転軸に連結するファンを回動自在に介装させ、前記中空構造体底面の開口部を通風路となし、ファンによる送風又は吸風によって被通風体に乾燥を施すようにした通風式乾燥具に関するものである。
【０００７】
本発明でファン室を形成する筒状の中空構造体は、直径４〜１０ｃｍ、高さ３〜８ｃｍ程度で、ポリエチレン、ポリプロピレン、ポリスチレン、ポリエステル、ポリカーボネートなどのプラスチック樹脂製のものが使いやすく、例えばスーツなどの衣類の乾燥にはよりコンパクトな形状が適している。
中空構造体の上面には、通気性を有する蓋体が取り外し自在に嵌着されるが、このとき消臭剤及び／又は抗菌・防カビ剤を含有する不織布製フィルターを蓋体に装着するのが好ましい。消臭剤としては、例えばカキノキ、アジサイ、緑茶などの植物抽出液、ベタインやナトリウムアルキルジアミノエチルグリシンのような両性界面活性剤、活性炭、活性白土、光触媒酸化チタン、亜鉛などの無機消臭剤、ポリフェノール、シクロデキストリンのような化学吸着型消臭剤を例示できるが、これらに限定されない。一方、抗菌・防カビ剤としては、銀塩、ベンザルコニウム、セチルピリジウム、テトラヒドロリナロール、ヒノキチオール、５−クロロ−２−メチル−４−イソチアゾリン−３−オン、ｏ−フェニルフェノールなどがあげられ、目的、用途に応じて適宜選択すればよい。更に必要ならば、芳香剤、防虫剤、安定剤などの他の活性成分を適宜添加しても構わない。
【０００８】
また、中空構造体の底面にはブリッジが架橋されるとともに、その中央部にホルダー支持部が設けられる。そして、モーターと電池を収容するホルダーがこのホルダー支持部にて把持される設計となっている。なお、中空構造体の上面と底面間の空間をもって形成されるファン室内であって、蓋体から１．５〜４ｃｍ離れた位置に、後述のモーターの回転軸に連結するファンが回動自在に介装され、加えて、中空構造体底面の開口部は通風路を構成する。
ファンの材質や形状も任意であるが、通常更に通風効率や回転中のファンに触れても怪我をしないような安全上の配慮が加えられる。例えば、厚みを薄くしたプラスチック製の２枚ないし４枚翼で、翼に若干のひねりを付与したものが一般的である。
【０００９】
ホルダーは、円筒状プラスチック製で、直径が１．５〜４ｃｍ、長さが５〜１０ｃｍ程度のものが使いやすく、この中にモーターと電池が収容される。モーターの仕様としては、コンパクトで回転数が３０００〜２２０００回転／分のものが適合し、モーターの回転軸を介してファンと連結されている。一方、電池の容量は本発明の目的に照らして、１．５Ｖ用を１ないし２個使用するような設計が好ましい。ホルダーの先端部付近にはモーター作動用のスイッチが付設されるが、モーター作動時間を制御可能な、例えばバネ作動式タイマースイッチが好適である。また、ファンによる送風又は吸風を切り替える方式として、モーター回路をオフ、正回転、逆回転せしめるスライド構造の切り替えスイッチを採用してもよいし、電池の正負を逆に収容した場合に回転が逆方向に切り替わる設計としてもよい。
【００１０】
本発明では、通風式乾燥具を被通風体に適用しやすいように、通風路を構成する中空構造体底面のブリッジや開口部を変形することができる。例えば、中空構造体底面に山型の通風ガイドを設け、更に開口部を越えて二股形状の通風路を延設し、この通風路を被通風体に対向するようにすれば、一対の靴やブーツ、あるいは、汗をかきやすい両腋の下に対応する衣類の両肩部分を重点的に乾燥する場合に便利でかつ効率がよい。
【００１１】
請求項２の発明は、請求項１の通風式乾燥具において、蓋体に消臭剤及び／又は抗菌・防カビ剤を含有する不織布製フィルターを装着したものである。
【００１２】
また、請求項３の発明は、請求項１又は２の通風式乾燥具において、ホルダーの先端部付近にバネ作動式タイマースイッチを付設したものである。
【００１３】
請求項４の発明は、請求項１ないし３のいずれかの通風式乾燥具において、中空構造体底面に山型の通風ガイドを設け、更に開口部を越えて二股形状の通風路を延設し、この通風路を被通風体に対向するようになしたものである。
【００１４】
請求項５の発明は、請求項４の通風式乾燥具において、靴内に通風路を挿入して用いるようにしたものである。
【００１５】
こうして得られた本発明の通風式乾燥具は、電池を用いたファンによる送風又は吸風によって、靴や衣類をはじめ、種々の被通風体に対してすぐれた除湿効果を示すとともに快適感をもたらし、しかも、簡便で使いやすく持ち運び可能なのでその実用性は極めて高い。
【００１６】
【実施例】
次に、具体的実施例ならびに試験例をあげて本発明を更に詳しく説明するが、本発明はこれらに限定されるものではない。
図１は本発明の一実施例の断面図を、図２は他の実施例の断面図を示す。
【００１７】
実施例１
図１に示す実施例では、直径５ｃｍ、高さ４ｃｍのポリスチレン製筒状中空構造体１をファン室として形成し、その上面に蓋体２を取り外し自在に嵌着した。この蓋体２には、活性白土と亜鉛からなる無機消臭剤を不織布全体量に対して５％含む不織布（ポリプロピレン）製フィルター３を装着させた。また、中空構造体１の底面中央部に架設されたホルダー支持部４にて、直径２ｃｍ、長さ８ｃｍのホルダー５を把持し、このホルダー５内に回転数が約１００００回転／分のモーター６と１．５Ｖの電池（７）２個を収容した。径２ｃｍの２枚翼からなりモーター回転軸に連結するファン８を、ファン室内であって蓋体から２ｃｍ離れた位置に介装するとともに、中空構造体１の底面開口部を通風路９に構成して本発明の通風式乾燥具を得た。
ホルダー５を被通風体１０としての靴に差し込み、ホルダー５の先端部付近に付設されたタイマースイッチ１１をオンにすると、送風モードでファン８から通風路９を通り被通風体１０に向かって送風が開始し、タイマーが切れる１０分後まで送風が持続した。その間汗で湿った靴は十分乾燥し、また靴の嫌な臭いもなくなり、快適な履き心地を感触できた。
【００１８】
実施例２
図２は、実施例１の通風式乾燥具において、中空構造体１の底面に山型の通風ガイド１２を設け、更に開口部を越えて二股形状の通風路１３を延設し、この通風路１３を被通風体１０に対向するようになした実施例２の断面図である。なお、二股形状は、開口部から通風路１３の出口までの長さを７ｃｍ、出口を直径２ｃｍの円筒状とした。
この通風式乾燥具を汗で湿ったスーツに適用した。すなわち、この乾燥具をスーツの中央部あたりに吊り下げ、２本の通風路１３をそれぞれ左右の肩部分に対向させて送風モードで使用した。その結果、１０分間の使用時間でスーツは十分乾燥し、汗の臭いもとれて着心地は満足のいくものであった。
【００１９】
試験例
実施例１に準じて表１に示す各種通風式乾燥具を作製した。水を１ｍＬ浸したティッシュペーパーを靴に入れ、この靴に乾燥具を２０分間使用した。除湿、ならびに消臭評価の結果を表１に併せて示す。なお、評価は以下の基準によった。
・除湿　　　：　○；良好、　　　△；中程度、　　　×；不十分
・臭いの消失：　○；ほぼ消失、　△；僅かに残存、　×；残存
【００２０】
【表１】
2004132678.tif 000003
【００２１】
試験の結果、本発明の通風式乾燥具は、２０分間使用するだけで除湿効果、消臭効果ともにすぐれ、非常に実用的であることが認められた。
これに対し、モーターの回転数が低い場合（比較例１）や、ファンの位置が蓋体に近すぎたり、あるいは離れすぎたりした場合（比較例２及び３）、所望の効果が得られなかった。また、塩化カルシウムを用いた市販乾燥具（比較例４）では、短時間の乾燥は困難であった。
【００２２】
【発明の効果】
本発明によれば、電池を用いたファンによる送風又は吸風によって、靴や衣類をはじめ、種々の被通風体に対してすぐれた除湿効果を示すとともに快適感をもたらし、しかも、簡便で使いやすい通風式乾燥具が提供される。
【図面の簡単な説明】
【図１】本発明通風式乾燥具の一実施例の断面図を示す。
【図２】本発明通風式乾燥具の他の実施例の断面図を示す。
【符号の説明】
１：筒状中空構造体、
２：蓋体、
３：不織布製フィルター、
４：ホルダー支持部
５：ホルダー、
６：モーター、
７：電池、
８：ファン、
９：通風路、
１０：被通風体、
１１：タイマースイッチ、
１２：通風ガイド、
１３：二股形状の通風路
【図１】
2004132678.tif 000004
【図２】
2004132678.tif 000005